(57)【要約】  胴体（２１）と、蓋（２３）と、加熱装置（２５）とを備える保温器（２０）において、該胴体（２１）は、内壁（２１１）と、外壁（２１３）と、口部（２１５）とを具備し、該内壁（２１１）と該外壁（２１３）との間には介在層空間を有し、該蓋（２３）は該口部（２１５）と結合し、該加熱装置（２５）は、誘導コイル（２５１）と、リング状磁石（２５３）と、抵抗加熱器（２５５）とを具備し、該誘導コイル（２５１）は該内壁（２１１）に巻かれ、該リング状磁石（２５３）は該介在層空間に嵌め込まれ、且つ該介在層空間において往復移動することができ、該抵抗加熱器（２５５）は該誘導コイル（２５１）に電気的に接続され、且つ該内壁（２１１）と接触する。
2011509721.tif 000002
【特許請求の範囲】
【請求項１】
内壁と、外壁と、口部とを具備し、上記内壁と上記外壁との間には介在層空間を有する胴体と、
上記口部と結合する蓋と、
上記内壁に巻かれた誘導コイルと、上記介在層空間に嵌め込まれ、上記介在層空間に往復移動可能なリング状磁石と、上記誘導コイルに電気的に接続され、上記内壁と接触する抵抗加熱器とを具備する加熱装置と、
を備える保温器。
【請求項２】
上記加熱装置は、上記保温器の温度に感応でき、かつ温度が設定温度より高い場合、上記誘導コイルと上記抵抗加熱器との間の電気的な接続を遮断する熱感応スイッチ、をさらに備える請求項１に記載の保温器。
【請求項３】
上記加熱装置はさらに整流器及び充電器を備え、上記整流器は上記誘導コイルに誘導される電流を整流し、上記充電器に出力して充電する請求項１に記載の保温器。
【請求項４】
内壁と、外壁と、口部とを具備し、上記内壁と上記外壁との間に介在層空間を有する胴体と、
上記口部と結合する蓋と、
上記介在層空間に設置された誘導コイルと、上記誘導コイルにおいて往復移動可能な長尺状磁石と、上記誘導コイルに電気的に接続され、上記内壁と接触する抵抗加熱器とを具備する加熱装置と、
を備える保温器。
【請求項５】
上記加熱装置は、上記保温器の温度に感応でき、かつ温度が設定温度より高い場合、上記誘導コイルと上記抵抗加熱器との間の電気的な接続を遮断する熱感応スイッチ、をさらに備える請求項４に記載の保温器。
【請求項６】
上記加熱装置はさらに整流器及び充電器を備え、上記整流器は上記誘導コイルに誘導される電流を整流し、上記充電器に出力して充電する請求項４に記載の保温器。
【請求項７】
口部を具備する胴体と、
上記口部と結合し、内部に加熱室が設けられた蓋と、
上記加熱室に設けられる誘導コイルと、上記誘導コイルにおいて往復移動可能な長尺状磁石と、上記誘導コイルに電気的に接続され、且つ上記蓋と上記口部が結合するとき上記内壁を加熱する抵抗加熱器とを具備する加熱装置と、
を備える保温器。
【請求項８】
上記加熱装置は、上記保温器の温度に感応でき、かつ温度が設定温度より高い場合、上記誘導コイルと上記抵抗加熱器との間の電気的な接続を遮断する熱感応スイッチ、をさらに備える請求項７に記載の保温器。
【請求項９】
上記加熱装置はさらに整流器及び充電器を備え、上記整流器は上記誘導コイルに誘導される電流を整流し、上記充電器に出力して充電する請求項７に記載の保温器。
【発明の詳細な説明】
【技術分野】
【０００１】
本発明は保温器に関し、特に加熱機能を有する保温器に関するものである。
【背景技術】
【０００２】
水は人々の日常生活の必需品であり、いざという時の必要に備えるためにいつでも飲み水を得ることができるように、多くの人は容器（例えば、水筒）で飲み水を入れることを選択する。しかしながら、普通の容器は保温機能を持っていないが、登山或いはキャンプする時、多くの食べ物の調理、例えばインスタントラーメン又はミルクなどにお湯をかけるには、何れもお湯を使うことが必要であるため、保温機能付き容器或いは保温器は、クライマーやよく旅行にでかける人にとっては非常に必要な製品である。
【０００３】
図１に示されるように、図１は従来技術の保温器の概略図であり、図面において、保温器１０は胴体１２及び蓋１４を含み、該胴体１２は内壁１２１と、外壁１２３と、口部１２５とを有する。
【０００４】
内壁１２１は内瓶と通称される。内壁１２１は水を入れるのに用いれる中空容器であり、該口部１２５は該内壁１２１の上方に設けられ、水は該口部１２５を介して内壁１２１の中に入れられる、外壁１２３は該内壁１２１の外側表面を被覆して、内壁１２１との間に密閉空間１２７が形成される。なお、保温効果を達するために、通常に該密閉空間１２７には断熱材を充填するか或いは該密閉空間１２７を真空にすることで、内壁１２１から外壁１２３への熱伝導を遮断する。そして、熱が内壁１２１の中に保留できるように内壁１２１の内側表面は通常に鏡面加工される。蓋１４は該口部１２５と結合し、その密閉程度も保温器１０の保温効果に影響を与える。
【発明の概要】
【発明が解決しようとする課題】
【０００５】
しかしながら、従来技術の保温器１０が採用する保温方式はいかに瓶内の熱が外界に発散するのを避けるかということで、今まで何れの保温器１０も保温器内の熱量が外に発散することを完全に遮断できない。従来技術の保温器１０はしばらくの時間にわたると、その内部のお湯の温度は依然として明らかに下がるため、その保温効果はクライマーや旅行者の要求を満足できない。
【０００６】
本発明は、自動加熱及び保温機能を有する保温器を提供することを主な目的とする。
【課題を解決するための手段】
【０００７】
上記目的を達するために、本発明の保温器は、内壁と、外壁と、口部とを具備し、上記内壁と上記外壁との間には介在層空間を有する胴体と、上記口部と結合する蓋と、上記内壁に巻かれた誘導コイルと、上記介在層空間に嵌め込まれ、上記介在層空間に往復移動可能なリング状磁石と、上記誘導コイルに電気的に接続され、上記内壁と接触する抵抗加熱器とを具備する加熱装置と、を備える。
【０００８】
保温器が揺れると、その内部のリング状磁石も介在層空間において往復移動を行い、この場合、誘導コイルはリング状磁石の磁力線の変化によって誘導電流を発生し、該誘導電流が抵抗加熱器を通過すると熱エネルギーを生じて内壁を自発的に加熱して、内壁に盛れた水が一定の温度或いはより高い温度に維持することができるようにする。
【０００９】
本発明の加熱装置は、上記保温器の温度に感応でき、かつ温度が設定温度より高い場合、上記誘導コイルと上記抵抗加熱器との間の電気的な接続を遮断する熱感応スイッチ、をさらに備えて、継続的に加熱することによって危険を産生することを避ける。また、本発明の加熱装置は、さらに整流器及び充電器を備え、上記整流器は上記誘導電流を整流し、上記充電器に出力して充電し且つ必要な時には、保温器の内部の水を再び加熱し或いは電源として他の電子製品に供給する。
【００１０】
本発明の利点及び思想をさらに公開させるために、以下に図面を参考しながら詳しく説明する。
【図面の簡単な説明】
【００１１】
【図１】従来技術の保温器の概略図。
【図２】本発明の保温器の第１実施例の図。
【図３】本発明の加熱装置の概略図。
【図４】本発明の保温器の第２実施例の図。
【図５】本発明の保温器の第３実施例の図。
【発明を実施するための形態】
【００１２】
図２に示されるように、図２は、本発明の保温器の第１実施例の図であり、図面において、保温器２０は胴体２１と、蓋２３と、加熱装置２５とを含み、該ボトル２１は内壁２１１と、外壁２１３と、口部２１５とを具備し、該内壁２１１と該外壁２１３との間には介在層空間２１７を有する。該蓋２３は該口部２１５と結合し、該加熱装置２５は誘導コイル２５１と、リング状磁石２５３と、抵抗加熱器２５５とを含み、誘導コイル２５１は該内壁２１１の外側表面に巻かれ、リング状磁石２５３は該介在層空間２１７に嵌め込まれ、該介在層空間２１７において上下往復移動を行うことができ、抵抗加熱器２５５は該誘導コイル２５１に電気的に接続され、且つ該内壁２１１と接触する。
【００１３】
クライマーがバックパックを背負い、且つ該バックパックには該保温器２０が有するとき、該保温器２０はクライマーの進みによって揺れを発生し、このとき、保温器２０の内部のリング状磁石２５３は介在層空間２１７において上下往復移動を行い、誘導コイル２５１にもリング状磁石２５３の磁力線の変化によって誘導電流を発生し、該誘導電流が抵抗加熱器２５５を通過すると、熱エネルギーが生じて内壁２１１を自発的に加熱する。従って、クライマーが進み続ければ、加熱装置２５は、保温器２０の水を一定の温度或いはより高い温度に維持できるように、内壁２１１に盛れた水を加熱し続ける。
【００１４】
図３に示されるように、図３は、本発明の加熱装置の概略図であり、加熱装置２５は、誘導コイル２５１と、リング状磁石２５３と、抵抗加熱器２５５の以外に、さらに熱感応スイッチ２５２と、整流器２５４と、充電器２５６とを具備する。該熱感応スイッチ２５２は該保温器２０の温度に感応することができ、感応した温度が設定の温度より高い場合、該誘導コイル２５１と該抵抗加熱器２５５との間の電気的な接続を遮断して、継続的な加熱によって危険を生ずることを避ける。また、リング状磁石２５３は毎回の往復移動過程において、その移動の方向は反対で、誘導コイル２５１が誘導された電流の方向は絶え間なく変化することを引き起こすので、本発明において、まず、整流器２５４で該誘導電流を整流し、整流された電流を該充電器２５６に出力して充電を行い、必要な時には、内壁２１１の内部の水を再び加熱し或いは電源として他の電子製品に供給する。
【００１５】
図４に示されるように、図４は、本発明の保温器の第２実施例の図であり、本実施例は第１実施例に基づいて変更するものであるので、以下、異なる部分について説明する。
【００１６】
図面において、保温器２０は、胴体２１と、蓋２３と、加熱装置２５とを有し、胴体２１は、内壁２１１と、外壁２１３と、口部２１５の以外に、更に該内壁２１１と該外壁２１３との間に形成された介在層空間２１７に設置された加熱室２１９を備え、同様に、該蓋２３は該口部２１５と結合し、且つ該加熱装置２５は、誘導コイル２５１と、長尺状磁石２５７と、抵抗加熱器２５５とを具備し、該誘導コイル２５１は該加熱室２１９の中に巻かれ、該長尺状磁石２５７は該誘導コイル２５１において、上下往復移動を行うことができ、抵抗加熱器２５５は該誘導コイル２５１に電気的に接続され、且つ該内壁２１１と接触する。
【００１７】
本実施例の加熱原理は第１実施例と同じであるから、ここでは省略する。同様に、本実施例の加熱装置２５にも、第１実施例のように、熱感応スイッチ２５２と、整流器２５４と、充電器２５６とを追加して（図３に示されるように）、保温器２０の利用効率を高めることができる。
【００１８】
図５に示されるように、図５は、本発明の保温器の第３実施例の図であり、本実施例は第１実施例に基づいて変更するものであるので、以下、異なる部分について説明する。
【００１９】
図面において、保温器２０は、胴体２１と、蓋２３と、加熱装置２５とを有し、胴体２１は、内壁２１１と、外壁２１３と、口部２１５とを具備し、蓋２３は内部には加熱室２３１を具備し、該口部２１５と結合することができ、該加熱装置２５は、誘導コイル２５１と、長尺状磁石２５７と、抵抗加熱器２５５とを具備し、該誘導コイル２５１は該加熱室２３１の中に巻かれ、該長尺状磁石２５７は該誘導コイル２５１において、上下往復移動を行うことができ、抵抗加熱器２５５は該誘導コイル２５１に電気的に接続され、且つ蓋２３と口部２１５が結合するとき、該内壁２１１を加熱する。
【００２０】
本実施例の加熱原理は第１実施例と同じであるから、ここでは省略する。同様に、本実施例の加熱装置２５にも、第１実施例のように、熱感応スイッチ２５２と、整流器２５４と、充電器２５６とを追加して（図３に示されるように）、保温器２０の利用効率を高めることができる。
【００２１】
取り立てて言いたいことは、本発明の保温器は機械エネルギーを電気エネルギーに転換することで、容器内の水を自発的に加熱して保温効果を達成するため、本発明の胴体は必ず内壁と外壁の二重構造を具備する必要がなく、保温器にその中に上記加熱装置が収納される加熱室を提供できればよい。もちろん、胴体は従来技術のように、内壁と外壁の二重構造を採用して、保温効果を高めることもできる。
【００２２】
上記説明は、ただ本発明の好適な実施例であり、本発明の実施範囲を限定するものではないが、当業者が本発明の精神に基づく様々な変更は、すべて本発明の精神と範囲内に含まれるべきである。
【符号の説明】
【００２３】
１０      保温器
１２      胴体
１２１      内壁
１２３      外壁
１２５      口部
１２７      介在層空間
１４      蓋
２０      保温器
２１      胴体
２１１      内壁
２１３      外壁
２１５      口部
２１７      介在層空間
２１９      加熱室
２３      蓋
２３１      加熱室
２５      加熱装置
２５１      誘導コイル
２５２      熱感応スイッチ
２５３      リング状磁石
２５４      整流器
２５５      抵抗加熱器
２５６      充電器
２５７      長尺状磁石
【図１】
2011509721.tif 000003
【図２】
2011509721.tif 000004
【図３】
2011509721.tif 000005
【図４】
2011509721.tif 000006
【図５】
2011509721.tif 000007
【国際調査報告】
2011509721.tif 000008
2011509721.tif 000009
2011509721.tif 000010
2011509721.tif 000011
2011509721.tif 000012
2011509721.tif 000013